【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
複数のディスプレイスクリーンを用いて複数のスライドのプレゼンターにより電子プレゼンテーションを提供する方法であって、
前記方法は、
中央のディスプレイスクリーンにプレゼンテーション操作インタフェースを提供するステップと、
前記複数のスライドの中の１つのスライドを前記プレゼンテーション操作インタフェース内のプレビューウィンドウに表示するステップと、
前記スライドを右側のディスプレイスクリーンに仕向けるか左側のディスプレイスクリーンに仕向けるかを指示する入力を前記プレゼンテーション操作インタフェースを介して受け取るステップと、
前記スライドを前記指示されたディスプレイスクリーン上に表示するべく送出するステップと、
前記プレゼンテーション操作インタフェース内の前記プレビューウィンドウ中の前記スライドと同時に、前記右側のディスプレイスクリーンに現在表示されているスライドに対応する第１のウィンドウおよび前記左側のディスプレイスクリーンに現在表示されているスライドに対応する第２のウィンドウを表示するステップと、
前記プレビューウィンドウに表示するべく次のスライドを取り出すステップと、
前記複数のスライドの中の第１のスライドを表示するべく送出したときにタイマーを起動するステップと、
カレントスライドが表示するべく送出されたときに対するタイムスタンプを決定するステップと、
前記タイムスタンプを前記複数のスライドと関連した所定のタイムラインと比較するステップと、
前記カレントスライドが、前記所定のタイムラインより遅れて送出されたか、前記所定のタイムライン通りに送出されたか、あるいは前記所定のタイムラインより進んで送出されたかを前記プレゼンテーション操作インタフェース内で指示するステップと、
前記第１のウィンドウまたは前記第２のウィンドウのいずれかに表示されるスライドを選択するステップと、
前記選択されたスライドの拡大されたイメージを、アノテーションのために前記プレゼンテーション操作インタフェースのほぼ全体を占めるように表示するステップと
を包含する、方法。
【請求項２】
請求項１に記載の方法であって、さらに、
前記スライドが前記右側のディスプレイスクリーンに送出される場合に、前記スライドを右側のビデオデータとして出力するステップと、
前記スライドが前記左側のディスプレイスクリーンに仕向けられる場合に、前記スライドを左側のビデオデータとして出力するステップと、
前記第１のウィンドウおよび前記第２のウィンドウの一つを前記プレゼンテーション操作インタフェースを介して選択するステップと、
前記プレゼンテーション操作インタフェースから遠隔の場所にある装置から入力を受け取るステップと、
前記選択されたウィンドウが前記右側のディスプレイスクリーンに対応する場合に、前記右側のビデオデータを前記受け取った入力に基づいて調整するステップと、
前記選択されたウィンドウが前記左側のディスプレイスクリーンに対応する場合に、前記左側のビデオデータを前記受け取った入力に基づいて調整するステップと
を包含する、方法。
【請求項３】
請求項２に記載の方法であって、条件付きの調整するステップの一方が、前記選択されたウィンドウの一部分を強調表示することを包含する、方法。
【請求項４】
請求項１に記載の方法であって、さらに、
前記複数のスライドの中の選択されたスライドに、前記選択されたスライドの修正が必要であることを指示するためにマークを付けるステップを包含する、方法。
【請求項５】
請求項４に記載の方法であって、さらに、
前記マークを付けた選択されたスライドに１つ以上のアノテーションを加えるステップを包含する、方法。
【請求項６】
請求項５に記載の方法であって、さらに、
前記マークを付けた選択されたスライドが前記指示されたディスプレイスクリーンに表示するべく送出される場合に、前記アノテーションを前記指示されたディスプレイスクリーンには表示せず前記プレゼンテーション操作インタフェース内に表示するステップを包含する、方法。
【請求項７】
請求項５に記載の方法であって、さらに、
前記マークを付けた選択されたスライドを遠隔の場所に転送するステップを包含する、方法。
【請求項８】
請求項１に記載の方法であって、さらに、
前記複数のスライドの各々を表示するべく送出するステップと、
各カレントスライドを表示するべく送出したときに各カレントスライドに対するタイムスタンプを保存するステップと、
前記保存されたタイムスタンプを遠隔の場所に転送するステップと
を包含する、方法。
【請求項９】
請求項１に記載の方法であって、さらに、
前記プレゼンテーション操作インタフェースの最上部に沿ってアノテーションのために前記選択されたスライドに対するメモリジョガー文を表示することを包含する、方法。
【請求項１０】
請求項１に記載の方法であって、さらに、
ズームインのために前記第１のウィンドウに表示されるスライドの一部分を選択することと、
ズームインのための前記第１のウィンドウ内の前記スライドの一部分の選択に応答して、前記第１のウィンドウに表示される前記スライドの前記選択された一部分のズームインバージョンを前記第２のウィンドウに表示することと
を包含する、方法。
【請求項１１】
請求項１０に記載の方法であって、前記スライドの前記選択された一部分のズームインバージョンが前記第２のウィンドウに表示されるときに、前記プレビューウィンドウの表示は変わらないままである、方法。
【請求項１２】
請求項１に記載の方法であって、さらに、
ズームインのためのツールを選択することと、
前記第２のウィンドウに前記プレゼンターに対してズームインのための命令を表示することと、
前記第１のウィンドウに表示される前記スライドの一部分の前記プレゼンターによる選択に応答して、前記第１のウィンドウに表示される前記スライドの前記選択された一部分のズームインバージョンを前記第２ウィンドウに表示することと
を包含する、方法。
【請求項１３】
電子プレゼンテーションを提供するシステムであって、前記システムは、
プログラマブルコンピュータがアクセス可能な第１のメモリに保存された複数のプレゼンテーションスライドと、
前記プログラマブルコンピュータに接続されかつ第１のビデオ入力信号を有する第１のディスプレイスクリーンと、
前記プログラマブルコンピュータに接続されかつ第２のビデオ入力信号を有する第２のディスプレイスクリーンと、
前記プログラマブルコンピュータに接続されかつ第３のビデオ入力信号を有する第３のディスプレイスクリーンと、
前記プログラマブルコンピュータがアクセス可能な第２のメモリに保存されたプレゼンテーション制御アプリケーションと
を備え、
前記プログラマブルコンピュータが、前記プレゼンテーション制御アプリケーションを実行して前記第３のディスプレイスクリーンに表示されるインタフェースを提供するように構成され、前記インタフェースによって前記複数のスライドの各々が前記第１のディスプレイスクリーンまたは前記第２のディスプレイスクリーンの一方に表示するべく送出され、
前記インタフェースが、
前記第１のビデオ入力信号に対応する第１のイメージを表示する第１のウィンドウと、
前記第２のビデオ信号に対応する第２のイメージを表示する第２のウィンドウと、
次のプレゼンテーションスライドのイメージを表示する第３のウィンドウと
を同時に表示するように構成され、
前記複数のスライドがプレゼンテーションファイル内に配置されており、
前記プレゼンテーションファイルについての規定のタイムラインに関する各スライドに関連したそれぞれのタイミング情報が前記第１のメモリに保存され、
前記プレゼンテーション制御アプリケーションが、さらに、
前記プレゼンテーションファイル中の第１のスライドが表示するべく送出された後の開始時刻を決定することと、
前記プレゼンテーションファイル中のカレントスライドが表示するべく送出されたときに、前記開始時刻に関連した時刻を決定することと、
前記カレントスライドが、前記規定のタイムラインより遅れて送出されたか、前記規定のタイムライン通りに送出されたか、あるいは前記規定のタイムラインより進んで送出されたかを決定することと
を実行するように構成され、
前記第１のウィンドウに表示される第１のイメージまたは前記第２のウィンドウに表示される第２のイメージのいずれかがアノテーションのために選択されたときに、前記選択されたイメージの拡大されたイメージは、前記インタフェースの表示領域のほぼ全体を占めるように表示される、システム。
【請求項１４】
請求項１３に記載のシステムであって、さらに、前記プログラマブルコンピュータから遠隔の位置にある入力機器を備えた、システム。
【請求項１５】
請求項１４に記載のシステムであって、前記プレゼンテーション制御アプリケーションが、さらに、前記第１または第２のイメージを前記入力機器から受け取った入力に基づいて修正するように構成される、システム。
【請求項１６】
請求項１３に記載のシステムであって、前記プレゼンテーション制御アプリケーションが、さらに、前記複数のスライドの中の選択されたスライドにマークを付けることと、前記マークを付けた選択されたスライドに１つ以上のアノテーションを加えることとを実行するように構成される、システム。
【請求項１７】
請求項１３に記載のシステムであって、前記プレゼンテーション制御アプリケーションが、さらに、
前記複数のスライドの各々が表示するべく送出されたときに、各スライドに対するそれぞれのタイムスタンプを生成することと、
前記それぞれのタイムスタンプを前記第１のメモリに保存することと
を実行するように構成される、システム。
【請求項１８】
請求項１３に記載のシステムであって、前記プレゼンテーション制御アプリケーションが、さらに、
前記保存されたそれぞれのタイムスタンプを前記プレゼンテーションファイルに関する識別情報と共に遠隔の場所へ転送するように構成される、システム。
【請求項１９】
請求項１３に記載のシステムであって、前記選択されたイメージの拡大されたイメージが前記インタフェースの表示領域のほぼ全体を占めるように表示されたときに、アノテーションのために前記選択されたイメージに対するメモリジョガー文が前記インタフェースの最上部に沿って表示される、システム。
【請求項２０】
請求項１３に記載のシステムであって、ズームインのために前記第１のウィンドウに表示される第１のイメージの一部分が選択されたときに、前記イメージの前記選択された一部分のズームインバージョンが、以前に表示された第２のイメージに代えて前記第２のウィンドウに表示される、システム。
【請求項２１】
請求項２０に記載のシステムであって、前記イメージの前記選択された一部分のズームインバージョンが前記第２のウィンドウに表示されるときに、前記第３のウィンドウの表示は変わらないままである、システム。